(57)【要約】      （修正有）【課題】最適化設計によって、構造が簡単かつ合理的で、操作及び使用が便利で、生産コストが低い、折畳みテント用中心ロック装置を提供する。【解決手段】いくつかのトップポール２の一端にヒンジで連結された中心上部取付けディスク１と、いくつかの中心ポール５の一端にヒンジで連結された中心下部取付けディスク４と、位置決めポール３と、を含む中心ロック装置であって、中心ポールの他端はトップポールにヒンジで連結され、さらに、中心ポールが水平支持をなした時の高さにある水平面を水平基面として、折畳みテントが広げられて支えられた状態にあると中心ポールは水平基面の上に位置して上方へ傾き、折畳みテントが折り畳まれて収縮状態にあると中心ポールは水平基面の下に位置して下方へ傾く。【選択図】図１
0003224282.tif 000002
【実用新案登録請求の範囲】
【請求項１】
いくつかのトップポール（２）の一端にヒンジで連結された中心上部取付けディスク（１）と、いくつかの中心ポール（５）の一端にヒンジで連結された中心下部取付けディスク（４）と、位置決めポール（３）と、を含む中心ロック装置であって、前記中心ポール（５）の他端は前記トップポール（２）にヒンジで連結され、さらに、前記中心ポール（５）が水平支持をなした時の高さにある水平面を水平基面（８）として、折畳みテントが広げられて支えられた状態にあると前記中心ポール（５）は前記水平基面（８）の上に位置して上方へ傾き、折畳みテントが折り畳まれて収縮状態にあると前記中心ポール（５）は前記水平基面（８）の下に位置して下方へ傾く、ことを特徴とする折畳みテント用中心ロック装置。
【請求項２】
前記位置決めポール（３）の上端は前記中心上部取付けディスク（１）に固定されて取り付けられ、前記位置決めポール（３）の下端は前記中心下部取付けディスク（４）と分離できる、ことを特徴とする請求項１に記載の折畳みテント用中心ロック装置。
【請求項３】
前記中心下部取付けディスク（４）内に、上方へ開口して前記位置決めポール（３）の下端に合わせて連結された位置決め溝（４１）が設けられている、ことを特徴とする請求項２に記載の折畳みテント用中心ロック装置。
【請求項４】
前記位置決め溝（４１）の上端部はラッパ形状をなしている、ことを特徴とする請求項３に記載の折畳みテント用中心ロック装置。
【請求項５】
前記位置決めポール（３）の下端は位置決め溝（４１）に弾力的に嵌合している、ことを特徴とする請求項１〜４のいずれか１項に記載の折畳みテント用中心ロック装置。
【請求項６】
前記中心下部取付けディスク（４）は前記中心上部取付けディスク（１）の直下に位置し、前記中心上部取付けディスク（１）、前記中心下部取付けディスク（４）及び前記位置決めポール（３）の中心点はいずれも同一の垂直二等分線上に位置する、ことを特徴とする請求項５に記載の折畳みテント用中心ロック装置。
【請求項７】
前記トップポール（２）の他端に、延長ポール（６）が連結された連結部品（７）が設けられている、ことを特徴とする請求項５に記載の折畳みテント用中心ロック装置。
【考案の詳細な説明】
【技術分野】
【０００１】
本考案は折畳みテントの技術分野に関し、特に折畳みテント用中心ロック装置に関する。
【背景技術】
【０００２】
折畳みテントは広告テント又は日よけテントともいい、屋外展示及び製品宣伝、フェスティバル及びパーティー、展示販売、旅行及びレジャー、野外作業、道端の屋台、バラエティーショーなどの一時的なイベントに用いられてもよく、公園・リゾート・景勝地にある長期のレジャー施設としてもよい。
【０００３】
折畳みテントは一般的に折畳みテントの骨組みとテントの布とから作られ、従来の折畳みテントのバックルは通常、レッグポールにあり、周りのレッグポールを固定すれば折畳みテントの全体を広げて支えることができる。しかし、折畳みテントのレッグポールを固定した時に、多くの人が協力して折畳みテントを張る必要があり、且つテントが大きければ大きいほど、それに対応した人が多くなる。
【０００４】
そのため、特許文献１に開示されたスライドポール付きのテントホルダは、引き紐、上部ディスク、下部ディスク、上部支持ポール及び下部支持ポールを備え、下部支持ポールは移動できるように上部支持ポールの中段に連結され、上部支持ポールの上端は上部ディスクに連結され、下部支持ポールの下端は下部ディスクに連結され、前記上部ディスクと下部ディスクとの間に引き紐が設けられている。テントを開こうとする時に、引き紐を引き、引き紐は上方へ移動して上下部ディスクを連結し、支持ポールの各部品は固定したロック支持を形成し、テントの骨組みを広げる。テントを畳もうとする時に、下部支持ポールを下方へ押し、支持ポールの各構造はロック構造を開き、テントの骨組みが窄む。しかし、該構造を広げたり窄めたりすること及び引き紐を引くことは比較的に不便であり、使用感に影響する。もし使用中、引き紐がもつれたりすると、全体の使用に影響し、非常に不便である。
【０００５】
同時に、特許文献２に開示されたシングルポイントロックを有するテントは、レッグポール、交差ポール、中心ポール及びスライダを備え、前記交差ポールは外部交差ポール及び内部交差ポールで構成され、レッグポールは中心ポールの外側に位置し、Ｘ形の外部交差ポールを介して隣接した二つのレッグポールをヒンジで連結し、Ｘ形の内部交差ポールを介してレッグポールと中心ポールとをヒンジで連結する。前記中心ポール内にシングルポイントロック構造が設けられている。レッグポール上に固定された元のロック構造を中心ロック構造に移して、直接中心ロックをロックすればテントの全体を支えることができる。このようにして均一の力を受け、構造が簡単で、一人でロック動作を完成できる。しかし、上述構造は交差ポール構造を多く採用する必要があり、その中心ポールのシングルポイントロックの構造も複雑で、別に解錠キーを設置して解錠を完成しないと、テントの収縮を完成できないので、テントの生産コストが大いに増加している。
【先行技術文献】
【特許文献】
【０００６】
【特許文献１】中国実用新案第２０５５３１６３９号明細書
【特許文献２】中国実用新案第２０４０２４１９６号明細書
【考案の概要】
【考案が解決しようとする課題】
【０００７】
上述の欠点を解決するために、本考案は構造が簡単かつ合理的で、操作及び使用が便利で、生産コストが低いという特徴を有する折畳みテント用中心ロック装置を提供している。
【課題を解決するための手段】
【０００８】
本考案が解決しようとする技術課題は以下の技術的手段によって実現できる。
【０００９】
いくつかのトップポールの一端にヒンジで連結された中心上部取付けディスクと、いくつかの中心ポールの一端にヒンジで連結された中心下部取付けディスクと、位置決めポールと、を含む中心ロック装置であって、前記中心ポールの他端は前記トップポールにヒンジで連結され、さらに、前記中心ポールが水平支持をなした時の高さにある水平面を水平基面として、折畳みテントが広げられて支えられた状態にあると中心ポールは前記水平基面の上に位置して上方へ傾き、折畳みテントが折り畳まれて収縮状態にあると前記中心ポールは前記水平基面の下に位置して下方へ傾く。
【００１０】
前記位置決めポールの上端は前記中心上部取付けディスクに固定されて取り付けられ、前記位置決めポールの下端は前記中心下部取付けディスクと分離できる。
【００１１】
前記中心下部取付けディスク内に、上方へ開口して前記位置決めポールの下端に合わせて連結された位置決め溝が設けられている。
【００１２】
前記位置決め溝の上端部はラッパ形状をなしている。
【００１３】
前記位置決めポールの下端は位置決め溝に弾力的に嵌合している。
【００１４】
前記中心下部取付けディスクは前記中心上部取付けディスクの直下に位置し、前記中心上部取付けディスク、前記中心下部取付けディスク及び前記位置決めポールの中心点はいずれも同一の垂直二等分線上に位置する。
【００１５】
前記トップポールの他端に、延長ポールが連結された連結部品が設けられている。
【００１６】
従来技術に比べて、本考案は以下の有利な効果を有する。最適化設計によって、折畳みテントに適用し、トップポールと中心ポールとの間の反力でロック実装を実現し、構造が簡単かつ合理的で、操作及び使用が便利で、生産コストが低いという特徴を有する。
【００１７】
本考案の特徴は、本願の図面及び以下の好ましい実施形態の詳しい説明から明らかになる。
【図面の簡単な説明】
【００１８】
【図１】図１は本考案の全体が広げられて支えられている状態の構造模式図の一である。
【図２】図２は本考案の中心ロック装置の構造模式図である。
【図３】図３は本考案の中心ロック装置の実装構造の模式的断面図である。
【図４】図４は本考案の位置決めポールが位置決め溝に弾力的に嵌合した構造の模式図の一である。
【図５】図５は本考案の位置決めポールが位置決め溝に弾力的に嵌合した構造の模式図の二である。
【図６】図６は本考案の全体が広げられて支えられている状態の構造模式図の二である。
【図７】図７は本考案の全体が折り畳まれた収縮状態の構造模式図である。
【図８】図８は本考案の連結部品の構造模式図である。
【図９】図９は本考案の力を受けた状態の構造模式図の一である。
【図１０】図１０は本考案の力を受けた状態の構造模式図の二である。
【図１１】図１１は本考案の力を受けた状態の構造模式図の三である。
【図１２】図１２は本考案の力を受けた状態の構造模式図の四である。
【図１３】図１３は本考案の力を受けた状態の構造模式図の五である。
【図１４】図１４は本考案の力を受けた状態の構造模式図の六である。
【図１５】図１５は本考案の力を受けた状態の構造模式図の七である。
【図１６】図１６は本考案の力を受けた状態の構造模式図の八である。
【図１７】図１７は本考案の力を受けた状態の構造模式図の九である。
【考案を実施するための形態】
【００１９】
本考案による技術的解決手段、考案の特徴、目的及び効果をより明確にするために、以下具体的な図面を参照して本考案をさらに説明する。
【００２０】
なお、本明細書の図面に示された構造、比例、大きさなどは、ただ当業者の理解と閲読とのために明細書に開示された内容と共に用いられるだけであり、本考案の実施可能な限定条件を限定するわけではないので、技術上の実質的な意味を有さない。本考案の効果及び目的に影響しないという前提で、全ての構造の修飾、比例関係の変更又は大きさの調整はいずれも本考案に開示された技術的内容の範囲内に含まれる。同時に、本明細書に援用された「上」、「下」、「左」、「右」、「中間」及び「一」といった用語も説明が明らかなように用いられ、本考案の実施可能な範囲を限定するものではない。技術的内容を実質的に変更することなく、その相対的関係を変更したり調整したりすることも、本考案の実施可能な範囲と見なされる。
【００２１】
（実施形態１）
図１ないし図１７に示されるように、本考案が提供した折畳みテント用中心ロック装置は、いくつかのトップポール２の一端にヒンジで連結された中心上部取付けディスク１と、いくつかの中心ポール５の一端にヒンジで連結された中心下部取付けディスク４と、位置決めポール３と、を含む中心ロック装置であって、さらに、図１０に示されるように前記中心ポール５が水平支持をなした時の高さにある水平面を水平基面８とする。中心ポール５の他端はトップポール２にヒンジで連結され、そのヒンジ連結位置は好ましくはトップポール２の中部であり、中心ポール５とトップポール２とは１対１対応して設けられる。折畳みテントが広げられて支えられた状態にあると前記中心ポール５は水平基面８の上に位置して上方へ傾き、折畳みテントが折り畳まれて収縮状態にあると前記中心ポール５は水平基面８の下に位置して下方へ傾く。
【００２２】
上述の構造によれば、本考案にかかる折畳みテントは通常、２種類の状態、即ち、広げられて支えられている状態と折り畳まれた収縮状態とがある。使用時に、折り畳まれた収縮状態下、中心ロック装置を通じて開かれ、広げられて支えられている状態とされ、収納時に、広げられて支えられている状態下、中心ロック装置を通じて収縮され、折り畳まれた収縮状態とされる。
【００２３】
図９ないし図１７に示されるように、本考案にかかる折畳みテントは中心ロック装置によって折り畳まれた収縮状態から広げられて支えられている状態に変わり、そして再度折り畳まれた収縮状態になるという作動原理は以下の通りである。
【００２４】
折り畳まれた収縮状態から広げられて支えられている状態へ。中心下部取付けディスク４を手で押して上方へ移動させ、中心下部取付けディスク４と位置決めポール３との位置合わせが完成するまで押し、折畳みテントの開放と支持とを完成する。
【００２５】
上述の操作過程において、中心下部取付けディスク４は上方へ動くと、中心下部取付けディスク４と中心ポール５とは中心下部取付けディスク４の移動につれて動き、中心下部取付けディスク４と中心ポール５との間のヒンジ連結端は下から上へ動き、中心ポール５とトップポール２との間のヒンジ連結端は外方と上方とへの開放運動を行い、中心下部取付けディスク４の位置がどんどん上方へ移動するとともに、必然的に中心下部取付けディスク４と中心ポール５との間のヒンジ連結端、及び中心ポール５とトップポール２との間のヒンジ連結端が同じ高さの水平面上に位置するようにし、この位置は上述した水平基面８の位置であり、図１０に示されるように、トップポール２が中心ポール５に支えられて外方への開放の最大限にあり、本考案の要所は、中心下部取付けディスク４が引き続き上方へ動き、中心下部取付けディスク４と位置決めポール３との位置合わせ及び接触が完成した後、ロックが自動的に完成する。
【００２６】
図９ないし図１７に示されるように、中心ロック装置のロック原理は中心ポール５とトップポール２とが互いに力を受けた状態に依存し、力を受けた状態は３種類、即ちα角が鋭角をなした状態、α角が直角をなした状態、及びα角が鈍角をなした状態に分けられており、α角は中心ポール５のある辺と位置決めポール３のある辺との角である。
【００２７】
図９に示されるように、α角が鋭角をなしていると、中心ポール５は水平基面８の下に位置して下方へ傾き、中心ポール５とトップポール２との間に力を受け、中心下部取付けディスク４に対して上方に向けた押す力Ｆｔを与え、中心ポール５は中心下部取付けディスク４とともに上方へ動き、トップポール２は中心ポール５の外方への押す力Ｆｔ１を受け、トップポール２は外方と上方とへの開放運動を行い、中心ポール５は同時に斜め下方に向けたトップポール２の第一反力Ｆ１を受ける。
【００２８】
図１０に示されるように、α角が直角をなしていると、即ち水平基面８に位置し、引き続き中心下部取付けディスク４に対して上方に向けた押す力Ｆｔを与え、トップポール２は中心ポール５の外方への押す力Ｆｔ２を受け、同時にトップポール２は最も外部の開放位置にあり、中心ポール５は臨界位置である水平位置に沿ったトップポール２の第二反力Ｆ２を受ける。
【００２９】
図１１と図１２とに示されるように、α角が鈍角をなしていると、引き続き中心下部取付けディスク４に対して上方に向けた押す力Ｆｔを与え、中心下部取付けディスク４を引き続き上方へ移動させ、中心ポール５が水平基面８の上に位置して上方へ傾くようにし、この時のトップポール２は中心ポール５の内方への牽引力を受け、同時に中心ポール５もトップポール２の第三反力Ｆ４を受け、内方への牽引力と第三反力Ｆ４とは斜め上方に向けた作用力Ｆ３を形成し、この時にトップポール２は内方への収縮状態にあり、該位置にある場合、中心下部取付けディスク４に対する押す力Ｆｔを取り消すと、中心ポール５は依然としてトップポール２の第三反力Ｆ４を受け、ただ内方への牽引力が解消されるだけであり、中心ポール５は依然として引き続き上方へ収縮する状態にあり、位置決めポール３を設置することで、中心下部取付けディスク４の位置決めを完成し、力を受けた当接状態とし、自動的にロックを完成できる。このような構造設計は本考案の創作的なところであり、各部品の間に力を受けた状態が異なっていることを利用して、自動的なロック構造を完成し、ロック装置を別途増加せず、ロックをうまく完成でき、全体の構造を大いに簡素化しており、生産コストが低減するとともに操作がより便利かつ有効になり、その達成できる効果は従来技術の効果に比べて劣らない。
【００３０】
図１３ないし図１７に示されるように、折り畳んで収納しようとする時に、α角が鋭角をなしているまで、中心下部取付けディスク４に対して下方に向けた引張力Ｆｌを与えて、中心下部取付けディスク４を下方へ移動させることで、引張力Ｆｌを取り消すことができる。第四反力Ｆ５によって、中心ポール５は下方と内方とへの収縮を行って、折畳み収縮を完成する。
【００３１】
上述の力を受けた状態において、押す力Ｆｔ、第一反力Ｆ１、第二反力Ｆ２、第三反力Ｆ４、外方へ押す力Ｆｔ１、外方へ押す力Ｆｔ２、作用力Ｆ３、第四反力Ｆ５、引張力Ｆｌなど各部品の間に受けた具体的な力の値は一定又は唯一ではない。上述した各種の力はただ当業者の理解と閲読とのために用いられる分析と解釈とに過ぎず、本考案の実施可能な限定条件を限定するわけではないので、技術上の実質的な意味を有さず、各部品の間の実際作用力を限定しない。例えば各部品が動いている時に部品の間の摩擦力なども必然的に存在するが、ここでさらなる説明をしない。図１ないし図４に述べた各種の状態はただ状態模式図に過ぎず、当業者に本考案の技術的解決手段をより明確に説明するために用いられる。
【００３２】
（実施形態２）
実施形態１を参照して、本考案の位置決めポール３の上端は中心上部取付けディスク１に固定されており、位置決めポール３の下端は中心下部取付けディスク４と分離でき、中心下部取付けディスク４内に、上方へ開口して位置決めポール３の下端に合わせて連結された位置決め溝４１が設けられている。
【００３３】
上述の構造は、位置決めポール３と中心下部取付けディスク４との位置決めを容易にする。
【００３４】
（実施形態３）
実施形態２を参照して、位置決め溝４１の上端部はラッパ形状をなしている。図２に示されるように、該構造設計によって、自動的に位置決めポール３を位置決め溝４１内に調整でき、嵌め込みの便利性と精確性とを向上させる。
【００３５】
（実施形態４）
上述した何れか一つの実施形態を参照して、図３ないし図５に示されるように、位置決めポール３の下端は位置決め溝４１に弾力的に嵌合されており、その弾力的な嵌合構造は位置決めポール３の下端に設置された弾力的な嵌合キー構造であってよい。位置決め溝４１の下端の対応した位置に嵌合溝を設けることで、弾力的な嵌合を実現する。若しくは、その位置決めポール３上に嵌合溝を設け、それに対応して位置決め溝４１内に弾力的な嵌合キー構造を設けることで、弾力的な嵌合を実現する。弾力的な嵌合構造は、広げられて支えられている状態をさらに強化してそのロックの安定性を向上させるために用いられ、これによって手で中心下部取付けディスク４に対して下方に向けた引張力を与えた時に、その引張力は弾力的な嵌合の限定した最大摩擦力を超えれば自動的な解除を完成できる。
【００３６】
（実施形態５）
実施形態４を参照して、中心下部取付けディスク４は中心上部取付けディスク１の直下に位置し、中心上部取付けディスク１、中心下部取付けディスク４及び位置決めポール３の中心点はいずれも同一の垂直二等分線上に位置する。該構造限定によって、製品使用の精度と安定性とを確保する。
【００３７】
（実施形態６）
実施形態４を参照して、図６と図８とに示されるように、トップポール２の他端に、延長ポール６が連結された連結部品７が設けられている。連結部品７は従来のポールによく使われている９の字連結部品を採用する。
【００３８】
上述の構造において、各部品の間のヒンジ連結構造は従来技術によく使われているヒンジ連結構造を採用する。
【００３９】
本考案は最適化設計によって、折畳みテントに適用し、トップポールと中心ポールとの間の反力でロック実装を実現し、構造が簡単かつ合理的で、操作及び使用が便利で、生産コストが低いという特徴を有する。
【００４０】
技術的常識から分かるように、本考案は精神実質又は必要な特徴を逸脱しない他の実施形態によって実現してよい。従って、先に開示された実施形態は、すべての点でただ例示に過ぎず、唯一のものではない。本考案には、本考案の範囲内又は本考案の範囲と均等との範囲内でのすベての変更が含まれる。
【符号の説明】
【００４１】
１  中心上部取付けディスク、２  トップポール、３  位置決めポール、４  中心下部取付けディスク、４１  位置決め溝、５  中心ポール、６  延長ポール、７  連結部品、８  水平基面。
【図１】
0003224282.tif 000003
【図２】
0003224282.tif 000004
【図３】
0003224282.tif 000005
【図４】
0003224282.tif 000006
【図５】
0003224282.tif 000007
【図６】
0003224282.tif 000008
【図７】
0003224282.tif 000009
【図８】
0003224282.tif 000010
【図９】
0003224282.tif 000011
【図１０】
0003224282.tif 000012
【図１１】
0003224282.tif 000013
【図１２】
0003224282.tif 000014
【図１３】
0003224282.tif 000015
【図１４】
0003224282.tif 000016
【図１５】
0003224282.tif 000017
【図１６】
0003224282.tif 000018
【図１７】
0003224282.tif 000019
【手続補正書】
【提出日】令和1年10月18日(2019.10.18)
【手続補正１】
【補正対象書類名】実用新案登録請求の範囲
【補正対象項目名】全文
【補正方法】変更
【補正の内容】
【実用新案登録請求の範囲】
【請求項１】
いくつかのトップポール（２）の一端にヒンジで連結された中心上部取付けディスク（１）と、いくつかの中心ポール（５）の一端にヒンジで連結された中心下部取付けディスク（４）と、位置決めポール（３）と、を含む中心ロック装置であって、前記中心ポール（５）の他端は前記トップポール（２）にヒンジで連結され、さらに、前記中心ポール（５）が水平支持をなした時の高さにある水平面を水平基面（８）として、折畳みテントが広げられて支えられた状態にあると前記中心ポール（５）は前記水平基面（８）の上に位置して上方へ傾き、折畳みテントが折り畳まれて収縮状態にあると前記中心ポール（５）は前記水平基面（８）の下に位置して下方へ傾く、ことを特徴とする折畳みテント用中心ロック装置。
【請求項２】
前記位置決めポール（３）の上端は前記中心上部取付けディスク（１）に固定されて取り付けられ、前記位置決めポール（３）の下端は前記中心下部取付けディスク（４）と分離できる、ことを特徴とする請求項１に記載の折畳みテント用中心ロック装置。
【請求項３】
前記中心下部取付けディスク（４）内に、上方へ開口して前記位置決めポール（３）の下端に合わせて連結された位置決め溝（４１）が設けられている、ことを特徴とする請求項２に記載の折畳みテント用中心ロック装置。
【請求項４】
前記位置決め溝（４１）の上端部はラッパ形状をなしている、ことを特徴とする請求項３に記載の折畳みテント用中心ロック装置。
【請求項５】
前記位置決めポール（３）の下端は前記位置決め溝（４１）に弾力的に嵌合している、ことを特徴とする請求項３又は４に記載の折畳みテント用中心ロック装置。
【請求項６】
前記中心下部取付けディスク（４）は前記中心上部取付けディスク（１）の直下に位置し、前記中心上部取付けディスク（１）、前記中心下部取付けディスク（４）及び前記位置決めポール（３）の中心点はいずれも同一の垂直二等分線上に位置する、ことを特徴とする請求項５に記載の折畳みテント用中心ロック装置。
【請求項７】
前記トップポール（２）の他端に、延長ポール（６）が連結された連結部品（７）が設けられている、ことを特徴とする請求項５に記載の折畳みテント用中心ロック装置。